(57)【要約】【課題】  寝台部分が上段になると、体調が優れぬときの梯子での昇り降りが苦難であり、寝像が悪く大きな寝返りで、柵越えをする危険性があった。幅員が狭いため、掛け布団が柵を覆い、体と柵の間に隙間ができる。  また、掛け布団が床に落ちると、睡眠中に掛け布団の掛け直しは、梯子で昇り降りしての作業になり大変である。【解決手段】  上下昇降可能な寝台、机の、枠柱四本の上段机台より上部、上下移動部分に歯型の付いたガイドレールを取り付け、上段机台の長手側奥中央のモーターを一台設置し、モーターの左右両輪のシャフトは、先に歯車を付けたものにし、上段机台の両端に歯車を付け、上段机台長手側の半分を、二重の引き出し式にして、下段寝台床板、長手側手前に、４カ所蝶番を付けた、折りたたみ式補助床板を付け、補助床板の床側に折りたたみのできる補強柱を四本付けることを特徴とする上下昇降可能な二段式寝台付き机。【選択図】図１
2013220346.tif 000002
【特許請求の範囲】
【請求項１】
長方形状平面の四角隅に枠柱を持つ２段式用の寝台が付いた机であり、上段に机台、下段に寝台を設け、四本の枠柱の頭頂部は長方形の輪郭のように渡し枠で結合され、枠柱の頭頂の数十センチ手前から部屋の床上数十センチ（普通の机の高さ）程の地点に至るまでの箇所に、それぞれの歯型付きのガイドレールを設けており、机台において、長手正面から見て、左（または、右）半分、程の領域の裏面に接する形で、スライド式に手前に半分程引き出しできる机台補助引き出し部を設け、奥縁の中央にモーターを設置し、同じ机台の奥縁の両端、および、モーターから左右に枠柱まで伸びたシャフトの末端には、ガイドレールの歯型と噛みあう歯型が設けられ、机台の長手正面手前の縁両端にも同様の歯車が設けられ、机台はモーターの力でガイドレールの長さ幅だけ上下に昇降することができるのであり、ガイドレールの下端即ち机台の昇降域の加減の位置の下方・枠柱の下端が接地する部屋の床面より少し上がった位置に、寝台床板を設け、その寝台床板の長手正面手前前縁に数十センチ程手前にはみ出る奥行き幅の寝台補助床板を設け、左右両端とその中間部の等間隔の複数個所を蝶番等で寝台床板と結合されるが、これらの蝶番と向かい合わせの、寝台補助床板の手前端縁より少し内側（奥方）の位置の裏（底）面に、同様の蝶番等でそれぞれ補強柱をとりつけたことを特徴とする上下昇降可能な二段式寝台付き机。
【発明の詳細な説明】
【技術分野】
【０００１】  本発明は、上下昇降可能な二段式寝台付き机に関するものである。
【背景技術】
【０００２】  従来、二段式寝台、机は、寝台が上段で机が下段と、固定したもので、寝台部分には柵があるものがポピュラーである。
【発明の概要】
【発明が解決しようとする課題】
【０００３】  寝台部分が上段になると、体調の優れぬとき梯子で、昇り降りが難儀であり、寝像が悪い場合、大きな寝返りで、柵を越えて落ちてしまう危険性があった。
幅員が狭いため、掛け布団が柵を覆い、体と柵の間に隙間ができた。
掛け布団が床に落ちると、睡眠途中に掛け布団の掛け直しは、梯子で昇り降りしての作業になり大変である。
本発明は、以上の問題点を解決するためになされたものである。
【課題を解決するための手段】
【０００４】  長方形状平面の四角隅に枠柱を持つ２段式用の寝台が付いた机であり、上段に机台、下段に寝台を設ける。
四本の枠柱の頭頂部は、長方形の輪郭のように渡し枠で結合され、枠柱頭頂の数十センチ手前から部屋の床上数十センチ（普通の机の高さ）程の地点に至るまでの箇所にそれぞれ歯型付きのガイドレールを設ける。
机台において、長手正面から見て、左（または、右）半分、奥行き半分程の領域の裏面に接する形で、スライド式に手前に半分程引き出しできる机台補助引き出し部を設ける。
奥縁の中央部にモーターを設置し、同じ机台の奥縁の両端、および、モーターから左右に枠柱まで伸びたシャフトの末端には、ガイドレールの歯型と噛みあう歯車が設けられ、机台の長手正面手前の縁両端にも同様の歯車が設けられ、机台はモーターの力でガイドレールの長さ幅だけ上下に昇降する。
ガイドレールの下端即ち机台の昇降域の位置の下方、枠柱の下端が接地する部屋の床面より少し上がった位置に、寝台床板を設ける。
その寝台床板の長手正面手前縁に、数十センチ程手前にはみ出る奥行き幅の寝台床板を設ける。
左右両端とその中間部の等間隔の複数個所を蝶番等で寝台床板と結合する。
これらの蝶番と向かい合わせの、寝台補助床板の手前端縁より少し内側（奥方）の位置の裏（底）面に、同様の蝶番等でそれぞれ補強柱を取り付ける。
【発明の効果】
【０００５】  従来の寝台、机は、固定式なので寝台は上段、机は上段であった。
本発明により上段を上下昇降可能にすることで、上段を上昇させ寝床の高さを確保ができる。
下段が寝台になるため、梯子が不要になり、折りたたみ式の床板を手前に引き倒すことでる。
寝台幅が大きくなり、大きく寝返りをしても、高い所からの落下の危険もなくなる。
掛け布団の広がりが大きくなるので、体と布団の間も隙間もなく、布団の落下を防ぐことができる。
机を使うときは、上段を下降して机の長手側半分を、二重の引き出し式机台を引き出すことと、寝台床板を折りたたむことで、机台と寝台との間隔を保たれ、寝台が足の邪魔になることなく使える。
【図面の簡単な説明】
【０００６】
【図１】  本発明の正面図である。
【図２】  本発明の側面図である。
【図３】  図１におけるＡ−Ａの断面図である。
【図４】  図２において○で囲んだ部分の構造の説明図である。
【発明を実施するための形態】
【０００７】  以下、本発明の実施の形態を説明する。
長方形状平面の四角隅に枠柱（４）を持つ２段式用の寝台が付いた机であり、上段に机台（８）、下段に寝台を設ける。
四本の枠柱（４）の頭頂部は、長方形の輪郭のように渡し枠（１０）で結合され、枠柱（４）頭頂の数十センチ手前から部屋の床上数十センチ（普通の机の高さ）程の地点に至るまでの箇所に、それぞれ歯型付きのガイドレール（５）を設ける。
机台（８）において、長手正面から見て、左（または、右）半分、奥行き半分程の領域の裏面に接する形で、スライド式に手前に半分程引き出しできる机台補助引き出し部（１２）を設ける。
奥縁の中央部にモーター（１）を設置し、同じ机台（８）の奥縁の両端、および、モーター（１）から左右に枠柱（４）まで伸びたシャフト（２）の末端には、ガイドレール（５）の歯型と噛みあう歯車（３）が設けられ、机台（８）の長手正面手前の縁両端にも同様の歯車（３）が設けられ、机台（８）はモーター（１）の力でガイドレール（５）の長さ幅だけ上下に昇降する。
ガイドレール（５）の下端即ち机台（８）昇降域の下限の位置の下方、枠柱（４）の下端が接地する部屋の床面より少し上がった位置に、寝台床板（１１）を設ける。
その寝台床板（１１）の長手正面手前縁に、数十センチ程手前にはみ出る奥行き幅の寝台補助床板（６）を設ける。
左右両端とその中間部の等間隔の複数個所を蝶番（９）などで寝台床板（１１）と結合する。
これらの蝶番（９）と向かい合わせの、寝台補助床板（６）の手前端縁より少し内側（奥方）の位置の裏（底）面に、同様の蝶番（９）等でそれぞれ補強柱（７）を取り付ける。
本発明は以上のような構成であり、以下具体的に実施の形態を説明する。
従来の二段式寝台、机は、固定式なので寝台は、上段でと限られていたが、この発明により上段が上下昇降出できるので、机を上段にして下段を寝台に使うことができる。
寝台、机ともに補助台、板を付け広くなった利点は、
（イ）寝床に入るときに梯子を使わないので、体調に優れないときも難儀することなくス    ムーズに布団入りができ、寝像が悪く大きく寝返りをして、柵を越えて高所からの落    下の危険性が少なくなった、掛け布団を落として、梯子で昇り降りの作業がなくなっ    た。
（ロ）寝台床板に補助床板を付け、それを使用することで、寝台の幅が広くなり柵が不要    になり、掛け布団を広く、広げて使えるので体に隙間がなく、快適な睡眠ができる。
（ハ）机台の補助引き出し台を引き出して使用するので、奥行きが広く奥方向にパソコン    などを置いての、事務、勉強ができる。
机台の左（または、右）は、広いスペースがあるので事務用品棚等の置き場所とし    て使える。
【符号の説明】
【０００８】１  モーター
２  シャフト
３  歯車
４  枠柱
５  ガイドレール
６  寝台補助床板
７  補強柱
８  机台
９  蝶番
１０  渡し枠
１１  寝台床板
１２  机台補助引き出し部
【図１】
2013220346.tif 000003
【図２】
2013220346.tif 000004
【図３】
2013220346.tif 000005
【図４】
2013220346.tif 000006